(57)【要約】【課題】出力を増加し、性能を向上することができる、発電システムを提供する。【解決手段】実施形態の発電システムは、熱源媒体熱交換部と、媒体タービンと、凝縮器と、再生ヒータとを有する。熱源媒体熱交換部では、沸点が水よりも低い低沸点媒体と熱源媒体との間の熱交換が行なわれる。媒体タービンでは、熱源媒体熱交換部において熱交換が行われた低沸点媒体が、作動媒体として流入する。凝縮器は、媒体タービンから排気された低沸点媒体を凝縮する。再生ヒータでは、凝縮器において凝縮された低沸点媒体と媒体タービンから抽気された低沸点媒体との間の熱交換が行なわれる。ここで、再生ヒータは、凝縮器において凝縮された低沸点媒体と媒体タービンから抽気された低沸点媒体との両者が直接的に接触することによって熱交換が行われる直接接触式であり、当該熱交換が行われた低沸点媒体が、熱源媒体熱交換部に流入する。【選択図】図１
2014222033.tif 000002
【特許請求の範囲】
【請求項１】
沸点が水よりも低い低沸点媒体と熱源媒体との間の熱交換が行なわれる熱源媒体熱交換部と、
前記熱源媒体熱交換部において熱交換が行われた低沸点媒体が、作動媒体として流入する媒体タービンと、
前記媒体タービンから排気された低沸点媒体を凝縮する凝縮器と、
前記凝縮器において凝縮された低沸点媒体と前記媒体タービンから抽気された低沸点媒体との間の熱交換が行なわれる再生ヒータと、
を備え、
前記再生ヒータは、前記凝縮器において凝縮された低沸点媒体と前記媒体タービンから抽気された低沸点媒体との両者が直接的に接触することによって熱交換が行われる直接接触式であり、当該熱交換が行われた低沸点媒体が、前記熱源媒体熱交換部に流入することを特徴とする、
発電システム。
【請求項２】
前記再生ヒータにおいて熱交換が行われた低沸点媒体を超臨界圧に昇圧し、前記熱源媒体熱交換部に移送する超臨界圧媒体ポンプ
を有することを特徴とする、
請求項１に記載の発電システム。
【請求項３】
前記媒体タービンから排気された低沸点媒体と、前記凝縮器で凝縮された低沸点媒体との間の熱交換が行なわれる再生器
を有し、
前記媒体タービンから排気された低沸点媒体は、前記再生器での熱交換後に、前記凝縮器に流入し、
前記凝縮器で凝縮された低沸点媒体は、前記再生器での熱交換後に、前記再生ヒータに流入することを特徴とする、
請求項１または２に記載の発電システム。
【請求項４】
前記再生ヒータにおいて熱交換が行われた後に前記熱源媒体熱交換部へ流れる低沸点媒体の一部を、前記再生器から前記再生ヒータに流れる低沸点媒体に合流させる再生ヒータ循環部
を有することを特徴とする、
請求項３に記載の発電システム。
【発明の詳細な説明】
【技術分野】
【０００１】
本発明の実施形態は、発電システムに関する。
【背景技術】
【０００２】
地熱、工場の排熱などを熱源として用いて作動媒体を加熱し、発電を行う発電システムが知られている。
【０００３】
このような発電システムでは、作動媒体を加熱する熱源媒体の温度が比較的低いため、水よりも沸点が低い低沸点媒体を作動媒体として用いる場合がある。たとえば、有機媒体（フロン類、炭化水素など）が低沸点媒体として用いられる。
【０００４】
上記の発電システムについて、発電出力などの性能を向上させるために、さまざまな提案がされている。
【０００５】
たとえば、媒体タービンの出口に再生器を設置すると共に、再生器で加熱された低沸点媒体を再生ヒータで更に加熱することが提案されている。これにより、再生ヒータなどを設置した場合と設置しない場合との間において、サイクルへの入熱量、および、熱源媒体との熱交換後の低沸点媒体の温度の両者が同じ条件であれば、その設置によって、作動媒体の循環量を増加できるので、出力を増加することができる（たとえば、特許文献１参照）。
【先行技術文献】
【特許文献】
【０００６】
【特許文献１】米国特許第7797940号明細書（図５などを参照）
【発明の概要】
【発明が解決しようとする課題】
【０００７】
上記の発電システムでは、再生ヒータは、「シェル＆チューブ式」などの「間接接触式」の熱交換器であって、媒体タービンから抽気した低沸点媒体の熱を用いて、再生器から排出された低沸点媒体を加熱している。このため、再生ヒータにおいて圧力損失が生じ、作動媒体である低沸点媒体の温度を十分に上昇させることができない場合がある。その結果、発電システムにおいて低沸点媒体の循環量を十分に増やすことができずに、タービンの出力を増加させることが困難な場合がある。つまり、上記の発電システムでは、性能の向上に限界がある。
【０００８】
したがって、本発明が解決しようとする課題は、出力の増加が可能であって、性能を向上することができる、発電システムを提供することである。
【課題を解決するための手段】
【０００９】
実施形態の発電システムは、熱源媒体熱交換部と、媒体タービンと、凝縮器と、再生ヒータとを有する。熱源媒体熱交換部では、沸点が水よりも低い低沸点媒体と熱源媒体との間の熱交換が行なわれる。媒体タービンでは、熱源媒体熱交換部において熱交換が行われた低沸点媒体が、作動媒体として流入する。凝縮器は、媒体タービンから排気された低沸点媒体を凝縮する。再生ヒータでは、凝縮器において凝縮された低沸点媒体と媒体タービンから抽気された低沸点媒体との間の熱交換が行なわれる。ここで、再生ヒータは、凝縮器において凝縮された低沸点媒体と媒体タービンから抽気された低沸点媒体との両者が直接的に接触することによって熱交換が行われる直接接触式であり、当該熱交換が行われた低沸点媒体が、熱源媒体熱交換部に流入する。
【図面の簡単な説明】
【００１０】
【図１】図１は、第１実施形態に係る発電システムを示す系統図である。
【図２】図２は、第２実施形態に係る発電システムを示す系統図である。
【発明を実施するための形態】
【００１１】
実施形態について、図面を参照して説明する。
【００１２】
＜第１実施形態＞
［Ａ］発電システムの構成
図１は、第１実施形態に係る発電システムを示す系統図である。
【００１３】
本実施形態において、発電システムは、有機媒体ランキンサイクル（ＯＲＣ（Ｏｒｇａｎｉｃ  Ｒａｎｋｉｎｅ  Ｃｙｃｌｅ））発電システムであって、図１に示すように、熱源媒体熱交換部２０と、媒体タービン２１と、再生器２３と、凝縮器２４と、再生ヒータ２５と、冷却水供給部３０とを有する。
【００１４】
以下より、本実施形態の発電システムを構成する各部について、順次、説明する。
【００１５】
［Ａ−１］熱源媒体熱交換部２０
熱源媒体熱交換部２０は、図１に示すように、熱源媒体供給源１から供給された熱源媒体Ｆ１と、水よりも沸点が低い低沸点媒体Ｍ２５との熱交換が行なわれ、低沸点媒体Ｍ２５が加熱される。
【００１６】
ここでは、熱源媒体供給源１は、たとえば、地熱で加熱された地熱媒体（地熱水）を供給する生産井（図示省略）であり、熱源媒体熱交換部２０においては、地熱媒体が生産井から熱源媒体Ｆ１として流入する。熱源媒体Ｆ１は、地熱の他に、工場の排熱、バイオマス資源による熱などの熱で加熱された媒体であってもよい。
【００１７】
また、低沸点媒体Ｍ２５は、たとえば、フロン（ハイドロフルオロカーボン（ＨＦＣ）、ハイドロフルオロオレフィン（ＨＦＯ）など）、炭化水素（ブタン，ペンタンなど）などの有機媒体であって、高圧媒体ポンプＰ２５によって超臨界圧に昇圧されて、熱源媒体熱交換部２０に流入する。
【００１８】
本実施形態では、熱源媒体熱交換部２０は、ベーパライザ２０１と予熱器２０２と含み、低沸点媒体Ｍ２５が、予熱器２０２とベーパライザ２０１とにおいて順次加熱される。
【００１９】
［Ａ−１−１］ベーパライザ２０１（気化器）
熱源媒体熱交換部２０において、ベーパライザ２０１は、熱源媒体供給源１から供給された熱源媒体Ｆ１を用いて、予熱器２０２から供給された低沸点媒体Ｍ２０２を加熱する。
【００２０】
具体的には、ベーパライザ２０１は、熱源媒体供給源１との間に配管が設けられており、その配管を介して、熱源媒体供給源１から熱源媒体Ｆ１が流入する。
【００２１】
また、ベーパライザ２０１は、予熱器２０２との間に配管が設けられており、その配管を介して、超臨界圧の低沸点媒体Ｍ２０２が流入する。
【００２２】
そして、ベーパライザ２０１では、熱源媒体Ｆ１と超臨界圧の低沸点媒体Ｍ２０２との間において、熱交換が行われる。ベーパライザ２０１は、たとえば、胴（シェル）の内部に伝熱管（チューブ）が設置されたシェル＆チューブ型の熱交換器であって、伝熱管の内部を流れる熱源媒体Ｆ１と、胴の内部において伝熱管の周囲を流れる低沸点媒体Ｍ２０２との間において、熱交換が行われる。
【００２３】
ベーパライザ２０１においては、熱源媒体Ｆ１が、超臨界圧の低沸点媒体Ｍ２０２との熱交換によって冷却される。そして、その熱交換後の熱源媒体Ｆ２０１が、ベーパライザ２０１から排出され、予熱器２０２に流入する。
【００２４】
この一方で、ベーパライザ２０１においては、超臨界圧の低沸点媒体Ｍ２０２が、熱源媒体Ｆ１との熱交換によって加熱される。ここでは、この熱交換によって、超臨界圧の低沸点媒体Ｍ２０２は、気化する。そして、ベーパライザ２０１において加熱された超臨界圧の低沸点媒体Ｍ２０が、ベーパライザ２０１から媒体タービン２１の内部に作動媒体として流入する。
【００２５】
［Ａ−１−２］予熱器２０２
熱源媒体熱交換部２０において、予熱器２０２は、ベーパライザ２０１から供給された熱源媒体Ｆ２０１を用いて、再生ヒータ２５から高圧媒体ポンプＰ２５を介して供給された低沸点媒体Ｍ２５を加熱する。
【００２６】
具体的には、予熱器２０２は、ベーパライザ２０１との間に配管が設けられており、その配管を介して、ベーパライザ２０１から熱源媒体Ｆ２０１が流入する。
【００２７】
また、予熱器２０２は、高圧媒体ポンプＰ２５が設置された配管が、再生ヒータ２５との間に設けられており、その配管を介して、超臨界圧の低沸点媒体Ｍ２５が流入する。
【００２８】
そして、予熱器２０２では、熱源媒体Ｆ２０１と超臨界圧の低沸点媒体Ｍ２５との間において、熱交換が行われる。予熱器２０２は、ベーパライザ２０１と同様に、たとえば、シェル＆チューブ型の熱交換器であって、伝熱管の内部を流れる熱源媒体Ｆ２０１と、胴の内部において伝熱管の周囲を流れる低沸点媒体Ｍ２５との間において、熱交換が行われる。
【００２９】
予熱器２０２においては、熱源媒体Ｆ２０１が、超臨界圧の低沸点媒体Ｍ２５との熱交換によって冷却される。そして、その熱交換後の熱源媒体Ｆ２０が、予熱器２０２から外部へ排出される。
【００３０】
この一方で、予熱器２０２においては、超臨界圧の低沸点媒体Ｍ２５が、熱源媒体Ｆ２０１との熱交換によって加熱される。そして、予熱器２０２において熱交換が行われた超臨界圧の低沸点媒体Ｍ２０２が、予熱器２０２からベーパライザ２０１に流入する。
【００３１】
［Ａ−２］媒体タービン２１
媒体タービン２１は、熱源媒体熱交換部２０での熱交換によって加熱された超臨界圧の低沸点媒体Ｍ２０（気化媒体）が、作動媒体として供給されて駆動する。
【００３２】
具体的には、媒体タービン２１は、主蒸気止め弁ＶＭ２０ａ（ＭＳＶ）と主蒸気加減弁ＶＭ２０ｂ（ＣＶ）とが設置された配管が、熱源媒体熱交換部２０との間に設けられており、その配管を介して、超臨界圧の低沸点媒体Ｍ２０が流入する。そして、媒体タービン２１は、その超臨界圧の低沸点媒体Ｍ２０の供給によって、ケーシング（図示省略）の内部に設置されたタービンロータ（図示省略）が回転する。
【００３３】
媒体タービン２１は、たとえば、多段式の軸流タービンであって、静翼（ノズル翼）と動翼（タービン羽根）とによって構成されるタービン段落が、タービンロータの回転軸に沿って、複数段、設けられている。超臨界圧の低沸点媒体Ｍ２０は、媒体タービン２１において一方の端部に位置する初段のタービン段落に供給された後に、各タービン段落において、順次、仕事を行ってタービンロータを回転させる。
【００３４】
媒体タービン２１において、超臨界圧の低沸点媒体Ｍ２０は、各タービン段落において順次仕事を行うに伴って、圧力および温度が低下する。そして、媒体タービン２１において、他方の端部に位置する最終段のタービン段落を通過した後に、低沸点媒体Ｍ２１Ｂ（排気蒸気）が外部へ排出される。
【００３５】
この他に、本実施形態では、媒体タービン２１において並ぶ複数のタービン段落の途中から低沸点媒体Ｍ２１Ａ（抽気蒸気）が抽気される。つまり、媒体タービン２１において初段と最終段との間に位置する中段のタービン段落を介して、低沸点媒体Ｍ２１Ａ（抽気蒸気）が外部へ排出される。
【００３６】
また、媒体タービン２１は、タービンロータの回転軸に、発電機２２が連結されており、タービンロータの回転によって発電機２２が駆動して、発電が行なわれる。
【００３７】
［Ａ−３］再生器２３
再生器２３は、媒体タービン２１から排気された低沸点媒体Ｍ２１Ｂ（排気蒸気）を用いて、凝縮器２４から低圧媒体ポンプＰ２４を介して供給された液体の低沸点媒体Ｍ２４（凝縮媒体）を加熱する。
【００３８】
具体的には、再生器２３は、媒体タービン２１の排気口との間に配管が設けられており、その配管を介して、媒体タービン２１から排気された低沸点媒体Ｍ２１Ｂが流入する。
【００３９】
これと共に、再生器２３は、低圧媒体ポンプＰ２４が設置された配管が、凝縮器２４との間に設けられており、その配管を介して、低圧媒体ポンプＰ２４で昇圧された低沸点媒体Ｍ２４が流入する。
【００４０】
そして、再生器２３では、媒体タービン２１から排気された低沸点媒体Ｍ２１Ｂと、凝縮器２４から低圧媒体ポンプＰ２４を介して供給された低沸点媒体Ｍ２４との間において、熱交換が行われる。再生器２３は、たとえば、シェル＆チューブ型の熱交換器であって、伝熱管の内部を流れる低沸点媒体Ｍ２４と、胴の内部において伝熱管の周囲を流れる低沸点媒体Ｍ２１Ｂとの間において、熱交換が行われる。
【００４１】
再生器２３においては、媒体タービン２１から排気された低沸点媒体Ｍ２１Ｂが、凝縮器２４から低圧媒体ポンプＰ２４を介して供給された低沸点媒体Ｍ２４との熱交換によって冷却される。そして、再生器２３で冷却された低沸点媒体Ｍ２３Ａが、凝縮器２４に流入する。
【００４２】
この一方で、再生器２３においては、凝縮器２４から低圧媒体ポンプＰ２４を介して供給された低沸点媒体Ｍ２４が、媒体タービン２１から排気された低沸点媒体Ｍ２１Ｂとの熱交換によって加熱される。そして、再生器２３で加熱された低沸点媒体Ｍ２３Ｂが、再生ヒータ２５に流入する。
［Ａ−４］凝縮器２４
凝縮器２４は、媒体タービン２１から排気された後に再生器２３を介して流入する低沸点媒体Ｍ２３Ａを凝縮する。凝縮器２４は、冷却水供給部３０から供給される冷却水ｆ３１を用いて、その低沸点媒体Ｍ２３Ａを冷却して液化する。
【００４３】
具体的には、凝縮器２４は、再生器２３との間に配管が設けられており、その配管を介して、再生器２３から低沸点媒体Ｍ２３Ａが流入する。つまり、媒体タービン２１から排気された低沸点媒体Ｍ２１Ｂ（排気媒体）が、再生器２３を介して、凝縮器２４に流入する。
【００４４】
また、凝縮器２４は、冷却水供給部３０との間に配管が設けられており、その配管を介して、冷却水供給部３０から冷却水ｆ３１が流入する。
【００４５】
そして、凝縮器２４では、低沸点媒体Ｍ２３Ａと冷却水ｆ３１との間において、熱交換が行われる。
【００４６】
凝縮器２４においては、低沸点媒体Ｍ２３Ａが冷却水ｆ３１との熱交換によって冷却されて凝縮される。そして、その凝縮された液体の低沸点媒体Ｍ２４が、低圧媒体ポンプＰ２４によって昇圧されて、再生器２３に流入する。
【００４７】
この一方で、凝縮器２４においては、冷却水ｆ３１が低沸点媒体Ｍ２３Ａとの熱交換によって加熱される。そして、凝縮器２４から冷却水ｆ２４が外部へ排出される。
【００４８】
［Ａ−５］再生ヒータ２５
再生ヒータ２５は、媒体タービン２１から抽気された低沸点媒体Ｍ２１Ａ（抽気蒸気）を用いて、再生器２３で加熱された液体の低沸点媒体Ｍ２３Ｂ（凝縮媒体）を加熱する。
【００４９】
具体的には、再生ヒータ２５は、媒体タービン２１の抽気口との間に配管が設けられており、その配管を介して、媒体タービン２１から抽気された低沸点媒体Ｍ２１Ａが流入する。
【００５０】
これと共に、再生ヒータ２５は、再生器２３との間に配管が設けられており、その配管を介して、再生器２３で加熱された低沸点媒体Ｍ２３Ｂが流入する。
【００５１】
そして、再生ヒータ２５では、媒体タービン２１から抽気された低沸点媒体Ｍ２１Ａと、再生器２３で加熱された低沸点媒体Ｍ２３Ｂとの間において、熱交換が行われる。
【００５２】
本実施形態では、再生ヒータ２５は、「直接接触式」の熱交換器であり、媒体タービン２１から抽気された低沸点媒体Ｍ２１Ａ（抽気蒸気）と、再生器２３で加熱された液体の低沸点媒体Ｍ２３Ｂ（凝縮媒体）とが、直接、接触することによって、両者の間において熱交換が行われる。
【００５３】
再生ヒータ２５においては、再生器２３で加熱された液体の低沸点媒体Ｍ２３Ｂ（凝縮媒体）が、媒体タービン２１から抽気された低沸点媒体Ｍ２１Ａ（抽気蒸気）と直接的に接触して混合することで、加熱される。そして、再生ヒータ２５で加熱された低沸点媒体Ｍ２５は、高圧媒体ポンプＰ２５（超臨界圧媒体ポンプ）によって臨界圧を超える圧力に昇圧された後に、熱源媒体熱交換部２０に移送される。
【００５４】
［Ａ−６］冷却水供給部３０
冷却水供給部３０は、冷却塔３１を含み、冷却塔３１で冷却した冷却水ｆ３１を凝縮器２４に供給する。
【００５５】
具体的には、冷却水供給部３０においては、冷却塔３１が、凝縮器２４から排出された冷却水ｆ２４を冷却する。そして、その冷却塔３１で冷却された冷却水ｆ３１を、冷却水ポンプＰ３１が凝縮器２４に移送する。
【００５６】
［Ｂ］発電システムの動作
上記の発電システムにおける動作について、図１を参照して説明する。
【００５７】
ここでは、発電システムにおける動作に関して、熱源媒体Ｆ１，Ｆ２０，Ｆ２０１（実線の矢印）の流れと、低沸点媒体Ｍ２０，Ｍ２１Ａ，Ｍ２１Ｂ，Ｍ２３Ａ，Ｍ２３Ｂ，Ｍ２４，Ｍ２５，Ｍ２０２の流れ（破線の矢印）とに分けて、説明する。
【００５８】
［Ｂ−１］熱源媒体Ｆ１，Ｆ２０，Ｆ２０１の流れについて
熱源媒体Ｆ１，Ｆ２０，Ｆ２０１は、図１に示すように、熱源媒体供給源１から熱源媒体熱交換部２０に流入し、低沸点媒体Ｍ２５との熱交換を行った後に、熱源媒体熱交換部２０から外部へ流出する。
【００５９】
具体的には、熱源媒体Ｆ１は、まず、高温な蒸気を含んだ状態で、熱源媒体熱交換部２０のベーパライザ２０１に流入する。そして、ベーパライザ２０１において、熱源媒体Ｆ１は、予熱器２０２で加熱された低沸点媒体Ｍ２０２と熱交換を行い、冷却される。
【００６０】
つぎに、ベーパライザ２０１で冷却された熱源媒体Ｆ２０１は、予熱器２０２に流入する。予熱器２０２において、熱源媒体Ｆ２０１は、高圧媒体ポンプＰ２５で超臨界圧に昇圧された液体の低沸点媒体Ｍ２５と熱交換を行い、更に冷却される。
【００６１】
そして、予熱器２０２で冷却された熱源媒体Ｆ２０は、熱水となって、熱源媒体熱交換部２０から外部へ排出される。
【００６２】
［Ｂ−２］低沸点媒体Ｍ２０，Ｍ２１Ａ，Ｍ２１Ｂ，Ｍ２３Ａ，Ｍ２３Ｂ，Ｍ２４，Ｍ２５，Ｍ２０２の流れについて
低沸点媒体Ｍ２０，Ｍ２１Ａ，Ｍ２１Ｂ，Ｍ２３Ａ，Ｍ２３Ｂ，Ｍ２４，Ｍ２５，Ｍ２０２は、図１に示すように、各部（熱源媒体熱交換部２０、媒体タービン２１、再生器２３、凝縮器２４、再生ヒータ２５）を、順次、循環する。
【００６３】
具体的には、低沸点媒体Ｍ２０が媒体タービン２１に作動媒体として流入する。ここでは、低沸点媒体Ｍ２０は、超臨界圧状態で、熱源媒体熱交換部２０において加熱された後に、主蒸気止め弁ＶＭ２０ａと主蒸気加減弁ＶＭ２０ｂとを順次介して、媒体タービン２１の内部に流入する。
【００６４】
そして、媒体タービン２１の内部において、低沸点媒体Ｍ２０は、各タービン段落で膨張し仕事を行なって、発電機２２を駆動させる。低沸点媒体Ｍ２０は、各タービン段落での仕事によって、温度および圧力が順次低下する。
【００６５】
このとき、媒体タービン２１においては、中段のタービン段落から低沸点媒体Ｍ２１Ａ（抽気蒸気）が、抽気され、その後、再生ヒータ２５に流入する。
【００６６】
この他に、媒体タービン２１においては、低沸点媒体Ｍ２１Ｂ（排気蒸気）が、最終段のタービン段落を通過した後に排気され、その後、再生器２３に流入する。
【００６７】
再生器２３において、低沸点媒体Ｍ２１Ｂ（排気蒸気）は、凝縮器２４で凝縮された液体の低沸点媒体Ｍ２４との熱交換によって、冷却される。
【００６８】
つぎに、再生器２３で冷却された低沸点媒体Ｍ２３Ａは、凝縮器２４に流入する。
【００６９】
凝縮器２４において、低沸点媒体Ｍ２３Ａは、冷却水供給部３０の冷却塔３１で冷却された冷却水ｆ３１との熱交換によって、更に冷却されて、凝縮（液化）する。
【００７０】
つぎに、凝縮器２４で凝縮された液体の低沸点媒体Ｍ２４は、低圧媒体ポンプＰ２４によって昇圧されて、再生器２３に流入する。
【００７１】
再生器２３においては、凝縮器２４で凝縮された低沸点媒体Ｍ２４は、媒体タービン２１から排気された低沸点媒体Ｍ２１Ｂ（排気蒸気）との熱交換によって、加熱される。
【００７２】
つぎに、再生器２３で加熱された低沸点媒体Ｍ２３Ｂは、再生ヒータ２５に流入する。
【００７３】
再生ヒータ２５においては、再生器２３で加熱された液体の低沸点媒体Ｍ２３Ｂ（凝縮媒体）が、媒体タービン２１から抽気された低沸点媒体Ｍ２１Ａ（抽気蒸気）との熱交換によって加熱される。
【００７４】
上記したように、再生ヒータ２５は、「直接接触式」の熱交換器であり、再生器２３で加熱された液体の低沸点媒体Ｍ２３Ｂ（凝縮媒体）と媒体タービン２１から抽気された低沸点媒体Ｍ２１Ａ（抽気蒸気）との両者が、直接的に接触することによって、両者の間において熱交換が行われる。そして、再生器２３で加熱された液体の低沸点媒体Ｍ２３Ｂ（凝縮媒体）は、媒体タービン２１から抽気された低沸点媒体Ｍ２１Ａ（抽気蒸気）と直接的に接触して混合することで、加熱される。
【００７５】
つぎに、再生ヒータ２５で加熱された低沸点媒体Ｍ２５は、高圧媒体ポンプＰ２５によって臨界圧を超える圧力に昇圧されて、熱源媒体熱交換部２０に移送される。
【００７６】
熱源媒体熱交換部２０においては、超臨界圧の低沸点媒体Ｍ２５が、熱源媒体供給源１から流入した熱源媒体Ｆ１との熱交換によって、加熱される。
【００７７】
具体的には、超臨界圧の低沸点媒体Ｍ２５が、予熱器２０２で加熱される。そして、予熱器２０２で加熱された超臨界圧の低沸点媒体Ｍ２０１が、ベーパライザ２０１で更に加熱され、気化する。
【００７８】
その後、熱源媒体熱交換部２０において加熱された超臨界圧の低沸点媒体Ｍ２０１は、上述したように、媒体タービン２１へ作動媒体として供給される。
【００７９】
［Ｃ］まとめ
以上のように、本実施形態の発電システムは、凝縮器２４で凝縮された低沸点媒体Ｍ２４が、再生器２３を介して、再生ヒータ２５に流入する。再生ヒータ２５においては、凝縮器２４で凝縮された後に再生器２３を介して流入する低沸点媒体Ｍ２３Ｂ（液媒体）と、媒体タービン２１から抽気された低沸点媒体Ｍ２１Ａ（抽気媒体）との両者が直接的に接触して熱交換が行われる。そして、再生ヒータ２５での熱交換により加熱された低沸点媒体Ｍ２５（液媒体）が、熱源媒体熱交換部２０に流入する。
【００８０】
このように、本実施形態では、再生ヒータ２５は、「直接接触式」であって、チューブ内を流れる媒体と、シェル内においてチューブの周囲を流れる媒体との間において、チューブの管壁を介して熱交換が行なわれる「シェル＆チューブ式」などの「間接接触式」ではない。このため、本実施形態の再生ヒータ２５においては、媒体が流れるときの管路による抵抗が小さいので、圧力損失が小さく、熱交換効率が高いため、流体温度差ＴＤを小さくすることが可能である。つまり、本実施形態の再生ヒータ２５は、「直接接触式」であるので、媒体タービン２１から抽気された低沸点媒体Ｍ２１Ａと、再生ヒータ２５から排出される低沸点媒体Ｍ２５との間の温度差が、「間接接触式」の場合よりも小さい。したがって、本実施形態では、熱源媒体熱交換部２０に流入する低沸点媒体Ｍ２５の温度が上昇し、熱源媒体熱交換部２０に流入する低沸点媒体Ｍ２５と、熱源媒体熱交換部２０から流出する低沸点媒体Ｍ２０との間のエンタルピーの差が小さくなる。その結果、本実施形態では、作動媒体の循環量を増加させることができるので、タービンの出力を容易に増加させることができる。
【００８１】
また、本実施形態では、再生ヒータ２５が「直接接触式」であるため、再生ヒータ２５について構成の簡略化が可能であると共に、メンテナンスを容易に行うことができる。また、再生ヒータ２５については、「シェル＆チューブ式」のように、高価なチューブを使用しないので、発電システムについてコストの上昇を抑制することができる。さらに、本実施形態では、上述したように、再生ヒータ２５の圧力損失が小さいので、媒体ポンプの動力を小さくすることができる。
【００８２】
また、本実施形態の発電システムにおいては、高圧媒体ポンプＰ２５（超臨界圧媒体ポンプ）が、再生ヒータ２５での熱交換により加熱された低沸点媒体Ｍ２５（液媒体）を、超臨界圧に昇圧し、熱源媒体熱交換部２０に移送する。そして、熱源媒体熱交換部２０において加熱された超臨界圧の低沸点媒体Ｍ２０が、作動媒体として媒体タービン２１に供給される。このように、本実施形態では、媒体タービン２１に作動媒体として供給される低沸点媒体Ｍ２０が、超臨界条件であって、高温および高圧である。このため、本実施形態では、断熱熱落差が増加するので、出力を増加させることができる。特に、本実施形態では、低沸点媒体Ｍ２０が超臨界条件であると共に、上記したように、再生ヒータ２５が「直接接触式」であるため、サイクル効率を十分に向上させることができる。
【００８３】
また、本実施形態の発電システムにおいては、再生器２３が設置されている。再生器２３では、媒体タービン２１から排気された低沸点媒体Ｍ２１Ｂ（排気媒体）と、凝縮器２４で凝縮された低沸点媒体Ｍ２４（液媒体）との間の熱交換が行なわれる。そして、媒体タービン２１から排気された低沸点媒体Ｍ２１Ｂ（排気媒体）は、再生器２３での熱交換後に、凝縮器２４に流入する。この一方で、凝縮器２４で凝縮された低沸点媒体Ｍ２４（液媒体）は、再生器２３での熱交換後に、再生ヒータ２５に流入する。このように、本実施形態では、媒体タービン２１から排気された低沸点媒体Ｍ２１Ｂの熱を用いて、凝縮器２４で凝縮された低沸点媒体Ｍ２４を加熱することができる。このため、本実施形態では、熱源媒体熱交換部２０に流入する低沸点媒体Ｍ２５の温度が更に上昇する。上述したように、再生器２３などを設置した場合と設置しない場合との間において、サイクルへの入熱量、および、熱源媒体との熱交換後の低沸点媒体が同じ条件であれば、再生器２３などを設置した場合の方が、低沸点媒体のエンタルピーの差分が小さくなる。したがって、本実施形態では、低沸点媒体の循環量を更に増加させることができるので、タービンの出力を更に効果的に増加させることができる。
【００８４】
［Ｄ］変形例
本実施形態においては、媒体タービン２１に供給される低沸点媒体Ｍ２０が、超臨界圧である場合について示したが、これに限らない。媒体タービン２１に供給される低沸点媒体Ｍ２０が、臨界圧よりも低い亜臨界圧であってもよい。
【００８５】
本実施形態では、作動媒体として用いる低沸点媒体が、たとえば、フロン、炭化水素などの有機媒体である場合について示したが、これに限らない。作動媒体として用いる低沸点媒体が、アンモニアなどの無機媒体であってもよい。
【００８６】
本実施形態では、熱源媒体熱交換部２０が、ベーパライザ２０１と予熱器２０２との２つの熱交換器を含む場合について示したが、これに限らない。熱交換器については、必要に応じて、単数、または、３つ以上であってもよい。
【００８７】
＜第２実施形態＞
［Ａ］構成等
図２は、第２実施形態に係る発電システムを示す系統図である。
【００８８】
図２に示すように、本実施形態では、再生ヒータ循環部２５１を更に有する。本実施形態は、上記の点、および、関連する点を除き、第１実施形態の場合と同様である。このため、本実施形態において、上記の実施形態と重複する個所については、適宜、説明を省略する。
【００８９】
再生ヒータ循環部２５１は、流量調整弁ＶＭ２５が設置された配管を含み、その配管の一端が、熱源媒体熱交換部２０と再生ヒータ２５との間に設けられた配管の途中に連結されていると共に、他端が、再生器２３と再生ヒータ２５との間に設けられた配管の途中に連結されている。
【００９０】
本実施形態では、再生ヒータ２５で加熱された低沸点媒体Ｍ２５のうち、一部Ｍ２５Ａが、高圧媒体ポンプＰ２５によって熱源媒体熱交換部２０に移送され、他の一部Ｍ２５Ｂが、再生ヒータ循環部２５１に設けられた配管に流入する。再生ヒータ循環部２５１では、流量調整弁ＶＭ２５によって流量が調整されて、低沸点媒体Ｍ２５の一部Ｍ２５Ｂが流れる。流量調整弁ＶＭ２５は、再生ヒータ２５での加熱量が十分でないときに、弁が開けられ、低沸点媒体Ｍ２５の一部Ｍ２５Ｂが流れる。
【００９１】
そして、その低沸点媒体Ｍ２５の一部Ｍ２５Ｂは、再生器２３から再生ヒータ２５に流れる低沸点媒体Ｍ２３Ｂに合流する。そして、その合流した低沸点媒体（Ｍ２３Ｂ＋Ｍ２５Ｂ）が、再生ヒータ２５に流入する。
【００９２】
そして、再生ヒータ２５においては、その合流した低沸点媒体（Ｍ２３Ｂ＋Ｍ２５Ｂ）と、媒体タービン２１から抽気された低沸点媒体Ｍ２１Ａ（抽気蒸気）とが直接的に接触することによって、両者の間において熱交換が行われ、その合流した低沸点媒体（Ｍ２３Ｂ＋Ｍ２５Ｂ）が、加熱される。
【００９３】
［Ｂ］まとめ
以上のように、本実施形態の発電システムにおいては、再生ヒータ循環部２５１が設置されている。再生ヒータ循環部２５１は、再生ヒータ２５において熱交換が行われた後に熱源媒体熱交換部２０へ流れる低沸点媒体Ｍ２５（液媒体）の一部を、再生器２３から再生ヒータ２５に流れる低沸点媒体Ｍ２３Ｂ（液媒体）に合流させる。
【００９４】
これにより、本実施形態では、再生ヒータ２５に流入する低沸点媒体（Ｍ２３Ｂ＋Ｍ２５Ｂ）の温度が上昇し、再生ヒータ２５での流体温度差ＴＤが小さくなる。このため、本実施形態では、熱変換効率を上げることができる。その結果、本実施形態では、タービンの出力を更に増加させることができる。
【００９５】
＜その他＞
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９６】
１…熱源媒体供給源、２０…熱源媒体熱交換部、２１…媒体タービン、２２…発電機、２３…再生器、２４…凝縮器、２５…再生ヒータ、３０…冷却水供給部、３１…冷却塔、２０１…ベーパライザ、２０２…予熱器、２５１…再生ヒータ循環部、Ｐ２４…低圧媒体ポンプ、Ｐ２５…高圧媒体ポンプ（超臨界圧媒体ポンプ）
【図１】
2014222033.tif 000003
【図２】
2014222033.tif 000004